(57)【要約】【課題】立体視画像を表示可能な画面において、あらゆるユーザーに認識しやすいインターフェースを表示することが可能な表示装置及び表示方法を提供すること。【解決手段】画面に表示する映像に関するデータに基づいて立体視画像を生成する画像生成部１０２と、映像に含まれる所定領域の画像に関する特徴量を取得する特徴量取得部１０４と、特徴量に基づいて、立体視画像において所定領域の画像が画面から空間に飛び出して見える距離に関する飛び出し量を算出する飛び出し量算出部１０６と、飛び出し量に基づいて所定領域の画像が飛び出して見えるように立体視画像を画面に表示する表示制御部１１０とを備える。【選択図】図１
2011035827.tif 000002
【特許請求の範囲】
【請求項１】
画面に表示する映像に関するデータに基づいて立体視画像を生成する画像生成部と、
前記映像に含まれる所定領域の画像に関する特徴量を取得する特徴量取得部と、
前記特徴量に基づいて、前記立体視画像において前記所定領域の画像が前記画面から空間に飛び出して見える距離に関する飛び出し量を算出する飛び出し量算出部と、
前記飛び出し量に基づいて前記所定領域の画像が飛び出して見えるように前記立体視画像を前記画面に表示する表示制御部と
を備える、表示装置。
【請求項２】
前記所定領域の画像は、ファイルデータを包括するディレクトリを表すフォルダ画像であり、
前記特徴量は、前記ディレクトリに含まれる前記ファイルデータの数であり、
前記飛び出し量算出部は、前記ファイルデータの数が多いほど前記距離が長くなるように前記飛び出し量を算出する、請求項１に記載の表示装置。
【請求項３】
前記所定領域の画像は、コンテンツを表す画像であり、
前記特徴量は、前記コンテンツに対する１又は複数の視聴者の嗜好値又は注目度であり、
前記飛び出し量算出部は、前記嗜好値又は前記注目度が高いほど前記距離が長くなるように前記飛び出し量を算出する、請求項１に記載の表示装置。
【請求項４】
前記所定領域の画像は、コンテンツを表す画像であり、
前記特徴量は、前記コンテンツの時間長であり、
前記飛び出し量算出部は、前記時間長が長いほど前記距離が長くなるように前記飛び出し量を算出する、請求項１に記載の表示装置。
【請求項５】
前記所定領域の画像は、コンテンツを表す画像であり、
前記特徴量は、前記コンテンツの再生又は放送開始後の経過時間であり、
前記飛び出し量算出部は、前記経過時間が長いほど前記距離が短くなるように前記飛び出し量を算出する、請求項１に記載の表示装置。
【請求項６】
前記所定領域の画像は、録画開始メッセージを表す画像であり、
前記特徴量は、前記コンテンツの録画開始までの時間であり、
前記飛び出し量算出部は、前記録画開始までの時間が短いほど前記距離が短くなるように前記飛び出し量を算出する、請求項１に記載の表示装置。
【請求項７】
画面に表示する映像に関するデータに基づいて立体視画像を生成する画像生成部と、
前記映像に含まれる複数の項目のうち選択された項目の領域の画像、又はユーザーによる選択が可能な領域の画像が前記立体視画像において前記画面から空間に飛び出して見える距離に関する飛び出し量を決定する飛び出し量決定部と、
前記飛び出し量に基づいて前記画像が飛び出して見えるように前記立体視画像を前記画面に表示する表示制御部と
を備える、表示装置。
【請求項８】
画像生成部が画面に表示する映像に関するデータに基づいて立体視画像を生成するステップと、
特徴量取得部が前記映像に含まれる所定領域の画像に関する特徴量を取得するステップと、
飛び出し量算出部が前記特徴量に基づいて、前記立体視画像において前記所定領域の画像が前記画面から空間に飛び出して見える距離に関する飛び出し量を算出するステップと、
表示制御部が前記飛び出し量に基づいて前記所定領域の画像が飛び出して見えるように前記立体視画像を前記画面に表示するステップと
を備える、表示方法。
【請求項９】
画像生成部が画面に表示する映像に関するデータに基づいて立体視画像を生成するステップと、
飛び出し量決定部が前記映像に含まれる複数の項目のうち選択された項目の領域の画像、又はユーザーによる選択が可能な領域の画像が前記立体視画像において前記画面から空間に飛び出して見える距離に関する飛び出し量を決定するステップと、
表示制御部が前記飛び出し量に基づいて前記画像が飛び出して見えるように前記立体視画像を前記画面に表示するステップと
を備える、表示方法。
【発明の詳細な説明】
【技術分野】
【０００１】
本発明は、表示装置及び表示方法に関する。
【背景技術】
【０００２】
近年、テレビ、パーソナルコンピュータなどの操作において、ＧＵＩ（Graphical  User  Interface）が広く用いられている。ＧＵＩは、画面上に操作用メニューや番組表、コンテンツ一覧などを表示して、表示された画像上の項目を選択できるようになっており、ＧＵＩを介してユーザーはテレビや、テレビに接続される録画再生装置、ゲーム機などを操作できる。
【０００３】
一方、放送番組や映画、ゲームなどの映像コンテンツが再生された表示画面において、画面内に表示されている対象物があたかも画面上から飛び出しているかのように、ユーザーが対象物を立体的に見ることができるテレビ、ディスプレイ等の立体視表示装置が開発されている。
【先行技術文献】
【特許文献】
【０００４】
【特許文献１】特表２００８−５２７５３９号公報
【特許文献２】特表２００８−５２７５４０号公報
【特許文献３】特開２００４−９６４７９号公報
【特許文献４】特開平１１−９８４３１号公報
【発明の概要】
【発明が解決しようとする課題】
【０００５】
ところで、従来のＧＵＩは、２次元にのみ表示できる表示装置で表示されることを前提としており、ＧＵＩは画面上に２次元で表現されていた。そのため、ＧＵＩ中に選択可能な項目が画面のどこにあるのかについて、視聴者によっては分かりにくい場合があった。また、２次元による表現方法は、３次元の場合に比べて表現できるバリエーションが限られているため、ＧＵＩとして表示されている項目が、視聴者にとって直感的に認識しづらい場合もあった。更に、２次元上で各項目が立体であるかのように表現したとしても、実際は２次元で描かれたものであるため、対象物の陰となる部分が生じ、陰となった部分のＧＵＩの情報が見られなくなるという問題があった。
【０００６】
そこで、本発明は、上記問題に鑑みてなされたものであり、本発明の目的とするところは、立体視画像を表示可能な画面において、あらゆるユーザーに認識しやすいインターフェースを表示することが可能な、新規かつ改良された表示装置及び表示方法を提供することにある。
【課題を解決するための手段】
【０００７】
上記課題を解決するために、本発明のある観点によれば、画面に表示する映像に関するデータに基づいて立体視画像を生成する画像生成部と、映像に含まれる所定領域の画像に関する特徴量を取得する特徴量取得部と、特徴量に基づいて、立体視画像において所定領域の画像が画面から空間に飛び出して見える距離に関する飛び出し量を算出する飛び出し量算出部と、飛び出し量に基づいて所定領域の画像が飛び出して見えるように立体視画像を画面に表示する表示制御部とを備える表示装置が提供される。
【０００８】
上記所定領域の画像は、ファイルデータを包括するディレクトリを表すフォルダ画像であり、特徴量は、ディレクトリに含まれるファイルデータの数であり、飛び出し量算出部は、ファイルデータの数が多いほど距離が長くなるように飛び出し量を算出してもよい。
【０００９】
上記所定領域の画像は、コンテンツを表す画像であり、特徴量は、コンテンツに対する１又は複数の視聴者の嗜好値又は注目度であり、飛び出し量算出部は、嗜好値又は注目度が高いほど距離が長くなるように飛び出し量を算出してもよい。
【００１０】
上記所定領域の画像は、コンテンツを表す画像であり、特徴量は、コンテンツの時間長であり、飛び出し量算出部は、時間長が長いほど距離が長くなるように飛び出し量を算出してもよい。
【００１１】
上記所定領域の画像は、コンテンツを表す画像であり、特徴量は、コンテンツの再生又は放送開始後の経過時間であり、飛び出し量算出部は、経過時間が長いほど距離が短くなるように飛び出し量を算出してもよい。
【００１２】
上記所定領域の画像は、録画開始メッセージを表す画像であり、特徴量は、コンテンツの録画開始までの時間であり、飛び出し量算出部は、録画開始までの時間が短いほど距離が短くなるように飛び出し量を算出してもよい。
【００１３】
また、上記課題を解決するために、本発明の別の観点によれば、画面に表示する映像に関するデータに基づいて立体視画像を生成する画像生成部と、映像に含まれる複数の項目のうち選択された項目の領域の画像、又はユーザーによる選択が可能な領域の画像が立体視画像において画面から空間に飛び出して見える距離に関する飛び出し量を決定する飛び出し量決定部と、飛び出し量に基づいて画像が飛び出して見えるように立体視画像を画面に表示する表示制御部とを備える表示装置が提供される。
【００１４】
また、上記課題を解決するために、本発明の別の観点によれば、画像生成部が画面に表示する映像に関するデータに基づいて立体視画像を生成するステップと、特徴量取得部が映像に含まれる所定領域の画像に関する特徴量を取得するステップと、飛び出し量算出部が特徴量に基づいて、立体視画像において所定領域の画像が画面から空間に飛び出して見える距離に関する飛び出し量を算出するステップと、表示制御部が飛び出し量に基づいて所定領域の画像が飛び出して見えるように立体視画像を画面に表示するステップとを備える表示方法が提供される。
【００１５】
また、上記課題を解決するために、本発明の別の観点によれば、画像生成部が画面に表示する映像に関するデータに基づいて立体視画像を生成するステップと、飛び出し量決定部が映像に含まれる複数の項目のうち選択された項目の領域の画像、又はユーザーによる選択が可能な領域の画像が立体視画像において画面から空間に飛び出して見える距離に関する飛び出し量を決定するステップと、表示制御部が飛び出し量に基づいて画像が飛び出して見えるように立体視画像を画面に表示するステップとを備える表示方法が提供される。
【発明の効果】
【００１６】
本発明によれば、立体視画像を表示可能な画面において、あらゆるユーザーに認識しやすいインターフェースを表示することができる。
【図面の簡単な説明】
【００１７】
【図１】本発明の一実施形態に係る表示装置１００の構成を示すブロック図である。
【図２】同実施形態を適用して設定メニューが表示された画面２０１を示す説明図である。
【図３】本実施形態を適用して選択メニューが表示された画面２１１を示す説明図である。
【図４】本実施形態を適用してコンテンツ選択メニュー２２２が表示された画面２２１を示す説明図である。
【図５】本実施形態を適用してコンテンツ選択メニュー２３２が表示された画面２３１を示す説明図である。
【図６】本実施形態を適用して放送番組表２４２が表示された画面２４１を示す説明図である。
【図７】本実施形態を適用してコンテンツ選択メニュー２５２が表示された画面２５１を示す説明図である。
【図８】本実施形態を適用してコンテンツ選択メニュー２６２が表示された画面２６１を示す説明図である。
【図９】本実施形態を適用してクリップメッセージ２７２−１、２７２−２が表示された画面２７１を示す説明図である。
【図１０】フォーカスが当たった場所を飛び出し表示する動作を示すフローチャートである。
【図１１】選択可能な項目を飛び出し表示する動作を示すフローチャートである。
【図１２】ファイルシステムのディレクトリ内に含まれるファイルデータの数に応じて、ディレクトリを表すフォルダ画像の飛び出し表示を変化させる動作を示すフローチャートである。
【図１３】ユーザーのコンテンツに対する興味具合（嗜好値）に応じて、放送番組表内の個々の放送番組を表す画像の飛び出し表示を変化させる動作を示すフローチャートである。
【図１４】検索ランキングの順位に応じて、コンテンツを表す画像の飛び出し表示を変化させる動作を示すフローチャートである。
【図１５】番組情報に含まれる単語の出現頻度に応じて、コンテンツを表す画像の飛び出し表示を変化させる動作を示すフローチャートである。
【図１６】コンテンツの時間長に応じて、コンテンツを表す画像の飛び出し表示を変化させる動作を示すフローチャートである。
【図１７】コンテンツの再生開始後又は放送開始後の時間経過に応じて、コンテンツを表す画像の飛び出し表示を変化させる動作を示すフローチャートである。
【図１８】録画対象コンテンツの録画開始までの時間に応じて、コンテンツの録画開始を表す画像の飛び出し表示を変化させる動作を示すフローチャートである。
【図１９】従来の設定メニューが表示された画面１１を示す説明図である。
【図２０】Color  Universal  Designに従った設計の工程を示すフローチャートである。
【図２１】従来の選択メニューが表示された画面２１を示す説明図である。
【図２２】従来のファイル選択メニューが表示された画面３１、３２、３３を示す説明図である。
【図２３】視聴者にとって興味がある番組が一覧表示された従来の画面４１を示す説明図である。
【図２４】従来の放送番組表５２が表示された画面５１を示す説明図である。
【図２５】従来の放送番組表６２が表示された画面６１を示す説明図である。
【図２６】コンテンツ選択メニューが表示された画面７１を示す説明図である。
【図２７】本実施形態を適用してクリップメッセージ８２が表示された画面８１を示す説明図である。
【発明を実施するための形態】
【００１８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１９】
なお、説明は以下の順序で行うものとする。
１．一実施形態の構成
２．本実施形態のＧＵＩ例
【００２０】
＜１．第一の実施形態＞
まず、図１を参照して、本発明の一実施形態に係る表示装置１００の構成について説明する。図１は、本実施形態に係る表示装置１００の構成を示すブロック図である。
【００２１】
表示装置１００は、例えば画像生成部１０２と、特徴量取得部１０４と、飛び出し量算出部１０６と、飛び出し量決定部１０８と、表示制御部１１０と、ディスプレイパネル１２０と、メモリ１３０と、制御部１４０と、操作部１５０と、通信制御部１６０などからなる。
【００２２】
表示装置１００は、液晶ディスプレイ装置、プラズマディスプレイ装置又は有機ＥＬディスプレイ装置などである。表示装置１００は、立体視表示装置であり、放送番組や映画、ゲームなどの映像コンテンツが再生された表示画面において、画面内に表示されている対象物があたかも画面上から飛び出しているかのように、ユーザーが対象物を立体的に見ることができる。立体視を可能にする手段は、通常用いられる方法を適用することができ、本明細書では説明を省略する。
【００２３】
画像生成部１０２は、画面に表示する映像に関するデータに基づいて立体視画像を生成する。画面に表示する映像に関するデータとは、放送データ、映画データ、ビデオデータなどである。画面に表示する映像に関するデータは、メニュー画面などＧＵＩに関するデータも含まれる。
【００２４】
特徴量取得部１０４は、映像に含まれる所定領域の画像に関する特徴量を取得する。所定領域の画像とは、例えば、ファイルデータを包括するディレクトリを表すフォルダ画像、コンテンツを表すアイコン画像、番組表上の番組を表す領域、録画開始メッセージなどである。特徴量は、ディレクトリに含まれるファイルデータの数、コンテンツに対する１又は複数の視聴者の嗜好値又は注目度、コンテンツの時間長、コンテンツの再生又は放送開始後の経過時間、コンテンツの録画開始までの時間などである。
【００２５】
飛び出し量算出部１０６は、特徴量に基づいて、立体視画像において所定領域の画像が画面から空間に飛び出して見える距離に関する飛び出し量を算出する。
【００２６】
飛び出し量決定部１０８は、映像に含まれる複数の項目のうち選択された項目の領域の画像、又はユーザーによる選択が可能な領域の画像が立体視画像において画面から空間に飛び出して見える距離に関する飛び出し量を決定する。
【００２７】
表示制御部１１０は、飛び出し量に基づいて所定領域の画像が飛び出して見えるように立体視画像を画面に表示する。
【００２８】
ディスプレイパネル１２０は、画像生成部１０２からの駆動信号などに応じて画面に映像を表示する。ディスプレイパネル１２０は、液晶ディスプレイパネル、プラズマディスプレイパネル又は有機ＥＬディスプレイパネルなどである。
メモリ１３０は、映像に関するデータや、メニューに関するデータ、制御部１４０で実行されるプログラムなどを保持する。
制御部１４０は、例えばＣＰＵであり、表示装置１００に設けられた各種機能ブロックを動作させたり、各種演算処理を実行したりする。
【００２９】
操作部１５０は、ユーザーによる操作を受け付けて操作信号を出力する。操作信号に基づいて、表示装置１００における処理が開始されたり停止されたりする。また、操作部１５０を介して画面に表示されたＧＵＩ上の操作を実現できる。
通信制御部１６０は、例えば放送信号を受信したり、録画再生装置などと接続されて映像信号等を受信したりする。さらに、インターネットと接続されて映像信号などの情報を受信したり送信したりする。
【００３０】
＜本実施形態のＧＵＩ例＞
次に、本実施形態に係る表示方法を適用して表示されるＧＵＩ例を説明する。
【００３１】
［実施例１］
実施例１は、フォーカスが当たった場所を飛び出し表示するＧＵＩの例である。
【００３２】
図２は、本実施形態を適用して設定メニューが表示された画面２０１を示す説明図である。画面２０１には、メニュー一覧表内に、複数の項目２０２が表示されている。項目２０２は、例えば「画質」、「音質」、「サラウンド」……などであり、それぞれの項目がユーザーによる操作によって選択可能の特性を有する。ユーザーによる操作は、例えばリモートコントローラ等を使用した操作で、操作部１５０が操作信号を生成することで実現される。ある項目２０２が選択されると、その項目２０２が有する内容の処理が表示装置１００などで実行される。
【００３３】
複数の項目２０２が表示されているとき、複数の項目２０２のうちどの項目を実行するかを明示するためには、ある項目２０２が選択されたことを示す印が必要である。図２に示す例では、複数の項目２０２のうち選択された項目２０４にフォーカスを当てることで、ある項目２０４が選択されていることを明示する。本発明の一実施形態によれば、現在選択されて、フォーカスが移動した項目２０４だけを飛び出して表示させ、それ以外の項目２０２は飛び出し表示しないように表示する。
【００３４】
図１０は、フォーカスが当たった場所を飛び出し表示する動作を示すフローチャートである。まず、選択可能な項目２０２に、ユーザーによる操作によってフォーカスが当てられているか否かを判断する（ステップＳ１１）。ステップＳ１１で判断された選択可能な項目２０２にフォーカスが当てられていない場合は、その項目２０２を飛び出し表示することなく終了する。一方、ステップＳ１１で判断された選択可能な項目２０２にフォーカスが当たっている場合は、その項目２０２の画面上の領域をどの程度飛び出して表示させるかという飛び出し量を決定する（ステップＳ１２）。飛び出し量は例えば予め設定しておいた量でもよいし、画面の状態などを判断して算出した量でもよい。そして、飛び出し量に基づいて、図２の項目２０４のように選択された項目２０４を飛び出し表示させる（ステップＳ１３）。
【００３５】
図１９は、従来の設定メニューが表示された画面１１を示す説明図である。画面１１には、メニュー一覧内に、複数の項目１２が表示されている。そして、複数の項目１２のうち選択された項目１４にフォーカスを当てることで、ある項目１４が選択されていることを表示している。選択された項目１４は、フォーカスが当たっていることを色で目立たせたり、項目１４をフレームで囲ったりしていた。
【００３６】
しかし、従来の方法では、例えば色覚を他の人と同じように感じることができない人などは、フォーカスが当たっている場所を認識しにくいという問題があった。例えばフォーカスが当たっていることで色が変化しているのか、又は項目を囲っているフレームが単に絵柄なのか、フォーカスが当たっていることを示しているのかを区別しにくかった。
【００３７】
また、Color  Universal  Designに従って設計すると、UDINGシミュレーターなどのツールを使用して正しい色を利用しているか確認しながら設計する必要がある。そのため、設計工数が多く掛っていた。図２０は、Color  Universal  Designに従った設計の工程を示すフローチャートである。まず、選択可能な項目のデザイン、フォーカス部分のデザインが検討される（ステップＳ９１）。そして、検討されたデザインについて、デザインした色がColor  Universal  Designに適合しているかを確認する（ステップＳ９２）。確認の結果に基づいて、ステップＳ９１で検討したデザインを採用するか否かの決定をする（ステップＳ９３）。
【００３８】
一方、本実施形態の実施例１のＧＵＩによれば、フォーカスが当たっている場所をユーザーは立体的に見ることができるため、ユーザーはどの項目にフォーカスが当たっているかを容易に認識することができる。また、フォーカス部分をどのように表示するかについて、従来のようにColor  Universal  Designに従って作成する必要がなくなる。そのため、図２０で示したフローチャートでは、ステップＳ９２の工程が不要となるため、設計効率を向上させることができる。
【００３９】
［実施例２］
実施例２は、選択可能な項目を飛び出し表示するＧＵＩの例である。
【００４０】
図３は、本実施形態を適用して選択メニューが表示された画面２１１を示す説明図である。画面２１１には、下部に選択できる項目２１１又は選択できない項目が複数表示され、上部に選択された項目に対応する映像が表示されている。項目２１２は、それぞれ例えば映像ファイルを示している。それぞれの項目がユーザーによる操作によって選択可能又は選択不可能の特性を有する。ある項目２１２が選択されると、その項目２１２に関する処理が表示装置１００、録画再生装置などで実行される。
【００４１】
複数の項目２１２が画面２１１に表示されているとき、現在のステータスで選択可能な項目と、選択不可能な項目が混在して表示される場合がある。本発明の一実施形態によれば、選択可能な項目だけを飛び出して表示させ、選択不可能な項目は飛び出し表示しないように表示する。
【００４２】
図１１は、選択可能な項目を飛び出し表示する動作を示すフローチャートである。まず、複数の項目のうち一つの項目が選択可能な状態であるか否かを判断する（ステップＳ２１）。ステップＳ２１で判断された項目が、選択不可能な状態である場合は、その項目を飛び出し表示することなく、ステップＳ２４に進む。ステップＳ２４では、ステップＳ２１で判断すべき項目がほかにあるか否かを判断する。
【００４３】
一方、ステップＳ２１で判断された項目が、選択可能な状態である場合は、その項目の画面上の領域をどの程度飛び出して表示させるかという飛び出し量を決定する（ステップＳ２２）。飛び出し量は例えば予め設定しておいた量でもよいし、画面の状態などを判断して算出した量でもよい。そして、飛び出し量に基づいて、図３の項目２１２のように項目２１２を飛び出し表示させる（ステップＳ２３）。その後、ステップＳ２４に進み、ステップＳ２１で判断すべき項目がほかにあるか否かを判断する。ステップＳ２４で、ステップＳ２１で判断すべき項目がほかにあると判断された場合は、ほかの項目についてステップＳ２１〜２３の処理を繰り返す。ステップＳ２１で判断すべき項目がほかにないと判断された場合は終了する。
【００４４】
図２１は、従来の選択メニューが表示された画面２１を示す説明図である。画面２１には、選択できる項目２２と、選択できない項目２３と、フォーカスが当たった項目２４が表示され、背景には映像コンテンツの一場面が表示されている。図２１では、選択できる項目２２は、選択できない項目２３より太いアイコン、僅かに大きい文字で表示されている。選択できない項目２３は、文字の大きさで表現するのではなく、黒文字でないグレー文字や他の色で表現される場合もある。
【００４５】
しかし、従来の表示方法では、選択可能な項目と選択不可能な項目の違いが僅かな場合や、例えば色覚を他の人と同じように感じることができない人が視聴する場合などは、表示された項目が選択できる状態なのか、又は選択できない状態なのかを認識しにくいという問題があった。また、実施例１に対して説明した従来技術と同様にColor  Universal  Designに従った設計が必要な場合もあった。
【００４６】
一方、本実施形態の実施例２のＧＵＩによれば、選択可能な項目をユーザーは立体的に見ることができるため、ユーザーはどの項目が選択可能であるかを容易に認識することができる。また、フォーカス部分をどのように表示するかについて、従来のようにColor  Universal  Designに従って作成する必要がなく、設計効率を向上させることができる。
【００４７】
［実施例３］
実施例３は、ファイルシステムのディレクトリ内に含まれるファイルデータの数に応じて、ディレクトリを表すフォルダ画像の飛び出し表示を変化させるＧＵＩの例である。
【００４８】
図４は、本実施形態を適用してコンテンツ選択メニュー２２２が表示された画面２２１を示す説明図である。画面２２１の選択メニューでは、横軸方向にカテゴリーが表示され、縦軸方向に選択されたカテゴリーに含まれるデータが表示される。図４（Ａ）は、「画像」カテゴリーの「Picture01」というディレクトリに対応するフォルダ画像２２４−１が選択されている状態を示す。図４（Ｂ）は、「画像」カテゴリーの「Picture02」というディレクトリに対応するフォルダ画像２２４−２が選択されている状態を示す。各ディレクトリには例えば画像コンテンツに関するファイルデータが収納されている。フォルダ画像を使用することで、複数のコンテンツを一つのグループとしてまとめて表示できる。横軸方向のカテゴリーには、「画像」のほかに「ビデオ」、「ＢＳ−ＴＶ」、「ＣＳ−ＴＶ」などが含まれる。
【００４９】
図４（Ａ）に示す例では、「Picture01」を飛び出し表示させ、図４（Ｂ）に示す例では、「Picture02」を飛び出し表示させている。そして、ディレクトリ「Picture01」に含まれるファイルデータの数（例えば２００個）が、ディレクトリ「Picture02」に含まれるファイルデータの数（例えば１０個）より多い場合について示した。その結果、「Picture01」を表す項目２２４−１が「Picture02」を表す項目２２４−２より多く飛び出している。このように、ディレクトリ内に含まれるファイルデータの数が多いと、選択された項目は多く飛び出し、反対にファイルデータの数が少ないと、選択された項目は少なく飛び出して表示される。
【００５０】
図１２は、ファイルシステムのディレクトリ内に含まれるファイルデータの数に応じて、ディレクトリを表すフォルダ画像の飛び出し表示を変化させる動作を示すフローチャートである。まず、ユーザーによる操作によって選択されたフォルダ画像に対応するディレクトリ内のコンテンツ数をカウントし算出する（ステップＳ３１）。そして、算出されたコンテンツ数に基づいて、選択されたフォルダ画像の画面上の領域をどの程度飛び出して表示させるかという飛び出し量を算出する（ステップＳ３２）。次に、飛び出し量に基づいて、図４（Ａ）や図４（Ｂ）の項目２２４−１、２２４−２のように選択された項目を飛び出し表示させる（ステップＳ３３）。
【００５１】
図２２は、従来のファイル選択メニューが表示された画面３１、３２、３３を示す説明図である。画面３１には二つのフォルダ画像３４（ＡとＢ）が表示されている。そして、フォルダ画像Ａの中身を見るため、画面３１内にフォルダ画像Ａを選択すると、画面３１は画面３２に遷移し、複数のフォルダ画像３５が表示される。その結果、フォルダ画像Ａに対応するディレクトリ内には多数のファイルデータが含まれていることが分かる。また、フォルダ画像Ｂの中身を見るため、画面３１内にフォルダ画像Ｂを選択すると、画面３１は画面３３に遷移し、複数のフォルダ画像３６が表示される。その結果、フォルダ画像Ｂに対応するディレクトリ内にはフォルダ画像Ａに対応するディレクトリに比べて少ないファイルデータが含まれていることが分かる。
【００５２】
このように、従来の表示方法では、ディレクトリ内に含まれるファイルデータの数を確認するには、ディレクトリの中身を表示させないと、中に含まれているファイルデータの数が分からないという問題があった。
【００５３】
一方、本実施形態の実施例３のＧＵＩによれば、フォルダ画像を使用して、複数のコンテンツを一つのグループとしてまとめて表示するとき、フォルダ内に含まれるコンテンツの数に応じて、フォルダ画像を飛び出す量を調整して表示できる。例えば、コンテンツ数が多いほど、飛び出す量を増やすように調整する。その結果、ユーザーはフォルダの中身を表示させずに中を見なくても、そのフォルダにどの程度の数のコンテンツが含まれているかを容易に認識することができる。
【００５４】
上述した実施例３は、例えばテレビに接続したパーソナルコンピュータや録画再生装置のコンテンツに関するファイルデータを画面に表示する例に適用できる。
【００５５】
［実施例４］
実施例４は、ユーザーのコンテンツに対する興味具合（嗜好値）に応じて、コンテンツを表す画像の飛び出し表示を変化させるＧＵＩの例である。以下、コンテンツとは、放送番組、映画、音楽などを含むが、図５、６を用いた例では、コンテンツが放送番組である場合について説明する。
【００５６】
図５は、本実施形態を適用してコンテンツ選択メニュー２３２が表示された画面２３１を示す説明図である。画面２３１の選択メニューでは、横軸方向にカテゴリーが表示され、縦軸方向に選択されたカテゴリーに含まれるデータが表示される。図５（Ａ）は、「ＴＶ」カテゴリーに含まれる放送番組２３４が選択されている状態を示す。図５（Ｂ）は、「ＴＶ」カテゴリーに含まれる放送番組２３６が選択されている状態を示す。各放送番組２３４、２３６が選択されると、例えば放送番組を表示したり、録画再生装置に記録された放送番組データを再生したり、番組詳細を表示したりすることができる。横軸方向のカテゴリーには、「ＴＶ」のほかに「音楽」、「ネットワーク」などが含まれる。
【００５７】
図５（Ａ）に示す例では、放送番組２３４を飛び出し表示させ、図５（Ｂ）に示す例では、放送番組２３６を飛び出し表示させている。そして、放送番組２３６の視聴者の興味具合（嗜好値）が、放送番組２３４の視聴者の興味具合（嗜好値）に比べて高い場合について示した。その結果、放送番組２３６が放送番組２３４より多く飛び出している。このように、放送番組の嗜好値が高いと、選択された番組は多く飛び出し、反対に嗜好値が低いと、選択された番組は少なく飛び出して表示される。
【００５８】
また、図６は、本実施形態を適用して放送番組表２４２が表示された画面２４１を示す説明図である。放送番組表２４２は、横方向にチャンネルが表示され、縦方向に時間が表示される。放送番組表２４２には、複数の番組が表示されており、図６に示す例では放送番組２４４、２４６などを飛び出し表示している。そして、放送番組２４４の視聴者の興味具合（嗜好値）が、放送番組２４６の視聴者の興味具合（嗜好値）に比べて高い場合について示した。その結果、放送番組２４４が放送番組２４６より多く飛び出している。このように、放送番組の嗜好値が高いと、その放送番組は多く飛び出し、反対に嗜好値が低いと、その放送番組は少なく飛び出して表示される。
【００５９】
図１３は、ユーザーのコンテンツに対する興味具合（嗜好値）に応じて、放送番組表内の個々の放送番組を表す画像の飛び出し表示を変化させる動作を示すフローチャートである。まず、複数の番組のうち一つの番組に嗜好値があるか否かを判断する（ステップＳ４１）。ステップＳ４１で判断された番組が嗜好値を持たない場合は、その番組を飛び出し表示することなく、ステップＳ４４に進む。ステップＳ４４では、ステップＳ４１で判断すべき番組がほかにあるか否かを判断する。
【００６０】
一方、ステップＳ４１で判断された番組が、嗜好値を持つ場合は、その番組の画面上の領域をどの程度飛び出して表示させるかという飛び出し量を嗜好値に基づいて算出する（ステップＳ４２）。そして、算出された飛び出し量に基づいて、図６の番組２４４、２４６のように番組を飛び出し表示させる（ステップＳ４３）。その後、ステップＳ４４に進み、ステップＳ４１で判断すべき番組がほかにあるか否かを判断する。ステップＳ４４で、ステップＳ４１で判断すべき番組がほかにあると判断された場合は、ほかの番組についてステップＳ４１〜４３の処理を繰り返す。ステップＳ４１で判断すべき項目がほかにないと判断された場合は終了する。
【００６１】
各番組の嗜好値は、例えば視聴者のテレビに対する操作を解析することによって得られる。なお、各番組の嗜好値の算出は、通常用いられている技術を使用することができ、本明細書では説明を省略する。
【００６２】
図２３は、視聴者にとって興味がある番組が一覧表示された従来の画面４１を示す説明図である。画面４１には、番組一覧表（お気に入り番組表）４２が表示され、複数の番組４４が配置されている。この表示方法では、視聴者にとって興味がある番組のみが表示される。しかし、この表示方法では、興味のある番組と同じ時間帯であって、異なるチャンネルでは、どのような番組が放送されているかを表示できない。そのため、視聴者が新たに興味を持つ可能性のある番組の視聴機会を損失させていた。
【００６３】
一方、図６に示した本実施形態の実施例４のＧＵＩによれば、視聴者のテレビに対する操作を解析することによって、番組毎に嗜好値を算出する。そして、算出された嗜好値に合わせて、番組を表す領域が飛び出す量を調整して表示できる。例えば、嗜好値が高いほど、飛び出す量を増やすように調整する。飛び出し量は容易に認識できるため、ユーザーは番組の嗜好値がどのくらい高いかを簡単に区別できる。
【００６４】
そして、図６に示すＧＵＩの例では、ユーザーは興味がある番組と同じ時間帯に、ほかのチャンネルでどのような番組が放送されているのかを知ることができる。その結果、興味のある番組の視聴機会を損失させることなく、新たに興味を持つ可能性がある番組の視聴機会を増やすことができる。
【００６５】
［実施例５］
実施例５は、世間のコンテンツに対する注目度に応じて、コンテンツを表す画像の飛び出し表示を変化させるＧＵＩの例である。実施例５では、上述した実施例４の図５及び図６と同様に、世間の注目度があるコンテンツを飛び出し表示できる。画面上の飛び出し表示の構成は、上述と同様であるため省略する。
【００６６】
世間の注目度は、例えば、インターネット上に公開された情報、例えば検索ランキングで上位にランキングされている単語を使用したり、番組情報（ＥＰＧデータ）に頻繁に現れる単語を解析したりして算出する。そして、これらの単語を含む番組が抽出されて飛び出し表示の対象とされる。
【００６７】
図１４は、検索ランキングの順位に応じて、コンテンツを表す画像の飛び出し表示を変化させる動作を示すフローチャートである。まず、インターネット上に公開された情報、例えば検索ランキングで第何位までの単語を対象とするかの数Ｍを決定する（ステップＳ５１）。
【００６８】
そして、検索ランキングｎ＝１位の単語を抽出する（ステップＳ５２）。その後、複数の番組のうち一つの番組の番組情報にｎ＝１位の単語があるか否かを判断する（ステップＳ５３）。ステップＳ５３で判断された番組の番組情報が抽出された単語を含まない場合は、その番組を飛び出し表示することなく、ステップＳ５６に進む。ステップＳ５６では、ステップＳ４１で判断すべき番組がほかにあるか否かを判断する。
【００６９】
一方、ステップＳ５３で判断された番組の番組情報が抽出された単語を含む場合は、その番組の画面上の領域をどの程度飛び出して表示させるかという飛び出し量をランキングの順位（ｎ位）に基づいて算出する（ステップＳ５４）。そして、算出された飛び出し量に基づいて、図７の番組２５４、２５６のように番組を飛び出し表示させる（ステップＳ５５）。その後、ステップＳ５６に進み、ステップＳ５３で判断すべき番組がほかにあるか否かを判断する。ステップＳ５６で、ステップＳ５３で判断すべき番組がほかにあると判断された場合は、ほかの番組についてステップＳ５４〜５６の処理を繰り返す。ステップＳ５６で判断すべき番組がほかにないと判断された場合はｎ位のｎの数を１だけ増加させて（ステップＳ５７）、同じようにステップＳ５２〜５６の処理を繰り返す。そして、ステップＳ５１で決定した第Ｍ位までの処理が完了したとき（ステップＳ５８）、一連の動作を終了する。
【００７０】
また、図１５は、番組情報に含まれる単語の出現頻度に応じて、コンテンツを表す画像の飛び出し表示を変化させる動作を示すフローチャートである。まず、番組情報（ＥＰＧデータ）に含まれる頻度の高い単語を１又は複数個抽出する（ステップＳ６１）。その後、複数の番組のうち一つの番組の番組情報に抽出した単語があるか否かを判断する（ステップＳ６２）。ステップＳ６２で判断された番組の番組情報が抽出された単語を含まない場合は、その番組を飛び出し表示することなく、ステップＳ６５に進む。ステップＳ６５では、ステップＳ６２で判断すべき番組がほかにあるか否かを判断する。
【００７１】
一方、ステップＳ６２で判断された番組の番組情報が抽出された単語を含む場合は、その番組の画面上の領域をどの程度飛び出して表示させるかという飛び出し量を単語の出現頻度に基づいて算出する（ステップＳ６３）。そして、算出された飛び出し量に基づいて、図７の番組２５４、２５６のように番組を飛び出し表示させる（ステップＳ６４）。その後、ステップＳ６５に進み、ステップＳ６２で判断すべき番組がほかにあるか否かを判断する。ステップＳ６５で、ステップＳ６２で判断すべき番組がほかにあると判断された場合は、ほかの番組についてステップＳ６２〜６５の処理を繰り返す。ステップＳ６５で判断すべき番組がほかにないと判断された場合は、ステップＳ６１で抽出された単語がまだほかにあるか否かを判断する（ステップＳ６６）。抽出された単語がまだある場合は、ステップＳ６２〜６５の処理を繰り返す。そして、抽出されたすべての単語についての処理が完了したとき、一連の動作を終了する。
【００７２】
図２４は、従来の放送番組表５２が表示された画面５１を示す説明図である。画面５１には、世間で注目されている番組５４が２次元上で立体的に表現されている。しかし、２次元上で番組５４の領域が立体であるかのように表現したとしても、実際は２次元で描かれたものであるため、番組５４の陰となる部分が生じ、陰となった部分の情報が見られなくなるという問題があった。この場合、画面をスクロールさせて陰となった部分が見える位置まで画面を移動させる必要があった。
【００７３】
一方、図５及び図６に示した本実施形態の実施例５のＧＵＩによれば、番組毎に世間の注目度を算出する。そして、算出された注目度に合わせて、番組を表す領域の飛び出す量を調整して表示できる。例えば、注目度が高いほど、飛び出す量を増やすように調整する。飛び出し量は容易に認識できるため、ユーザーは番組の注目度がどのくらい高いかを簡単に区別できる。
【００７４】
そして、図６に示すＧＵＩの例は、画面に表示された内容が立体視できるように表示されているため、番組表上でのある番組が、飛び出し表示されている注目度が高い番組の傍であっても、注目度の高い番組に隠れて見えなくなることがなくなる。また、陰となる部分があるように見えても視聴者が見る角度を変えれば、その部分を容易に見ることができ、従来のように画面のスクロールは不要である。以上より、実施例５によれば、どのような番組であっても視聴機会を損失することがなくなる。
【００７５】
［実施例６］
実施例６は、コンテンツの時間長に応じて、コンテンツを表す画像の飛び出し表示を変化させるＧＵＩの例である。以下、コンテンツとは、放送番組、映画、音楽などを含むが、図７を用いた例では、コンテンツが放送番組である場合について説明する。
【００７６】
図７は、本実施形態を適用してコンテンツ選択メニュー２５２が表示された画面２５１を示す説明図である。画面２５１の選択メニューでは、横軸方向にカテゴリーが表示され、縦軸方向に選択されたカテゴリーに含まれるデータが表示される。図７（Ａ）は、「ＴＶ」カテゴリーに含まれる放送番組２５４が選択されている状態を示す。図７（Ｂ）は、「ＴＶ」カテゴリーに含まれる放送番組２５６が選択されている状態を示す。各放送番組２５４、２５６が選択されると、例えば放送番組を表示したり、録画再生装置に記録された放送番組データを再生したり、番組詳細を表示したりすることができる。横軸方向のカテゴリーには、「ＴＶ」のほかに「音楽」、「ネットワーク」などが含まれる。
【００７７】
図７（Ａ）に示す例では、放送番組２５４を飛び出し表示させ、図７（Ｂ）に示す例では、放送番組２５６を飛び出し表示させている。そして、放送番組２５６の放送時間長が、放送番組２５４の放送時間長に比べて長い場合について示した。その結果、放送番組２５６が放送番組２５４より多く飛び出している。このように、放送番組の放送時間長が長いと、選択された番組は多く飛び出し、反対に放送時間長が短いと、選択された番組は少なく飛び出して表示される。
【００７８】
図１６は、コンテンツの時間長に応じて、コンテンツを表す画像の飛び出し表示を変化させる動作を示すフローチャートである。まず、放送番組に関する番組情報に基づいて、放送番組の放送時間長を算出する（ステップＳ７１）。そして、算出された放送時間長に基づいて、放送番組の画面上の領域をどの程度飛び出して表示させるかという飛び出し量を算出する（ステップＳ７２）。次に、飛び出し量に基づいて、図７（Ａ）や図７（Ｂ）の番組２５４、２５６のように番組を表す領域を飛び出し表示させる（ステップＳ７３）。
【００７９】
図２４は、上述した通り、従来の放送番組表５２が表示された画面５１を示す説明図である。従来の放送番組表５２では、各番組の放送時間長は、２次元の平面内における水平方向（Ｘ軸）の長さで表現されている。しかし、放送番組の短い番組は、表示スペースが小さくなってしまい、その番組がどのような番組であるか一見して認識できなかった。
【００８０】
また、図２５は、従来の放送番組表６２が表示された画面６１を示す説明図である。従来の放送番組表６２では、各番組の番組名と放送時刻を同時に表示している。しかし、各番組の放送時間長は、表示された時刻を見て計算する必要があり、一見しただけでは、どのくらいの長さであるのか認識できなかった。
【００８１】
一方、本実施形態の実施例６のＧＵＩによれば、番組の放送時間長に応じて飛び出し量が変化する。すなわち、番組の放送時間長を解析し、時間長に合わせて、番組を表す領域が飛び出す量を調整して表示する。例えば、放送時間長が長いほど、飛び出す量を増やすように調整する。飛び出し量は容易に認識できるため、ユーザーは番組の放送時間長がどのくらい長いかを簡単に区別できる。また、放送時間長が短い番組であっても、どのような番組であるのかが認識しやすくなる。
【００８２】
［実施例７］
実施例７は、コンテンツの再生開始後又は放送開始後の時間経過に応じて、コンテンツを表す画像の飛び出し表示を変化させるＧＵＩの例である。以下、コンテンツとは、放送番組、映画、音楽などを含むが、図８を用いた例では、コンテンツが放送番組である場合について説明する。
【００８３】
図８は、本実施形態を適用してコンテンツ選択メニュー２６２が表示された画面２６１を示す説明図である。画面２６１の選択メニューでは、横軸方向にカテゴリーが表示され、縦軸方向に選択されたカテゴリーに含まれるデータが表示される。図８（Ａ）、図８（Ｂ）は、「ＴＶ」カテゴリーに含まれる放送番組２６４−１、２６４−２が選択されている状態を示す。各放送番組２６４−１、２６４−２が選択されると、例えば放送番組を表示したり、録画再生装置に記録された放送番組データを再生したり、番組詳細を表示したりすることができる。横軸方向のカテゴリーには、「ＴＶ」のほかに「音楽」、「ネットワーク」などが含まれる。
【００８４】
図８（Ａ）、図８（Ｂ）に示す例では、放送番組２６４−１、２６４−２を飛び出し表示させている。そして、放送番組２６４−２の放送開始後の経過時間が、放送番組２６４−１の経過時間に比べて長い場合について示した。即ち、番組時間経過に伴い、飛び出し量が変化する。このように、放送番組の放送開始直後であると、番組を表す領域は多く飛び出し、反対に放送番組の放送終了間際であると、少なく飛び出して表示される。
【００８５】
図１７は、コンテンツの再生開始後又は放送開始後の時間経過に応じて、コンテンツを表す画像の飛び出し表示を変化させる動作を示すフローチャートである。まず、放送番組に関する番組情報と、現在時刻に基づいて、放送番組の放送開始後の経過時間を算出する（ステップＳ８１）。そして、算出された経過時間に基づいて、放送番組の画面上の領域をどの程度飛び出して表示させるかという飛び出し量を算出する（ステップＳ８２）。次に、飛び出し量に基づいて、図８の番組２６４−１、２６４−２のように番組を表す領域を飛び出し表示させる（ステップＳ８３）。このとき、経過時間に合わせて飛び出し量は変化していく。
【００８６】
図２６は、コンテンツ選択メニューが表示された画面７１を示す説明図である。画面７１の選択メニューでは、横軸方向にカテゴリーが表示され、縦軸方向に選択されたカテゴリーに含まれるデータが表示される。図２６は、「地上波ＴＶ」カテゴリーに含まれる放送番組が選択されている状態を示す。各放送番組が選択されると、例えば放送番組を表示したり、録画再生装置に記録された放送番組データを再生したり、番組詳細を表示したりすることができる。横軸方向のカテゴリーには、「地上波ＴＶ」のほかに「音楽」、「ビデオ」、「ＢＳＴＶ」、「ＣＳＴＶ」、「ネットワーク」などが含まれる。また、画面７１には、放送されている番組の現在までの経過時間を、２次元のＸ軸方向に表現されたインジケータ７２を用いて表示している。しかし、このような表示方法では、画面上にインジケータを表示するための領域を確保しなければならないという問題があった。
【００８７】
一方、本実施形態の実施例７のＧＵＩによれば、番組の経過時間に応じて飛び出し量が変化する。すなわち、番組の経過時間を解析し、時間経過量に合わせて、番組を表す領域が飛び出す量を調整して表示する。例えば、経過時間が多いほど、飛び出す量を減らすように調整する。飛び出し量は容易に認識できるため、ユーザーは番組の経過時間がどのくらいであるかを簡単に区別できる。また、経過時間を示すインジケータを表示するための領域を確保する必要がないため、ＧＵＩを表示させる画面領域を広くさせることができる。
【００８８】
［実施例８］
実施例７は、録画対象コンテンツの録画開始までの時間に応じて、コンテンツの録画開始を表す画像の飛び出し表示を変化させるＧＵＩの例である。以下、コンテンツとは、放送番組、映画、音楽などを含むが、図９を用いた例では、コンテンツが放送番組である場合について説明する。
【００８９】
図９は、本実施形態を適用してクリップメッセージ２７２−１、２７２−２が表示された画面２７１を示す説明図である。画面２７１では、「まもなく録画が開始します」というクリップメッセージ２７２−１、２７２−２が表示される。
【００９０】
図９に示す例では、メッセージ２７２−１、２７２−２を飛び出し表示させている。そして、録画対象番組が始まるまでの時間が、メッセージ２７２−２が表示されているときより、メッセージ２７２−１が表示されているときのほうが長い場合について示した。即ち、録画開始までの時間に応じて、飛び出し量が変化する。このように、録画開始まで時間が多くあるときは、番組を表す領域は多く飛び出し、反対にあと少しで始まるときは、少なく飛び出して表示される。
【００９１】
図１８は、録画対象コンテンツの録画開始までの時間に応じて、コンテンツの録画開始を表す画像の飛び出し表示を変化させる動作を示すフローチャートである。まず、録画対象番組の開始時刻と、現在時刻に基づいて、録画対象番組が開始するまでの時間を算出する（ステップＳ９１）。そして、算出された時間に基づいて、放送番組の画面上の領域をどの程度飛び出して表示させるかという飛び出し量を算出する（ステップＳ９２）。次に、飛び出し量に基づいて、録画開始時刻のｎ分前にメッセージを飛び出して表示させる。そして、時間経過とともに飛び出し量を調節して表示する（ステップＳ９３）。
【００９２】
図２７は、本実施形態を適用してクリップメッセージ８２が表示された画面８１を示す説明図である。画面８１では、録画対象番組の開始ｎ分前に「まもなく録画が開始します」というクリップメッセージ８２が表示される。しかし、実際にはあとどれくらいで番組が開始されるのか分からないという問題があった。
【００９３】
一方、本実施形態の実施例８のＧＵＩによれば、飛び出し量に基づいて、録画開始時刻のｎ分前にメッセージを飛び出して表示させる。そして、時間経過とともに飛び出し量を調節して表示する。例えば、番組開始が近付くほど飛び出し量を小さくしていく。飛び出し量は容易に認識できるため、ユーザーは番組開始まであとどのくらいであるかを簡単に認識できる。
【００９４】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００９５】
１００      表示装置
１０２      画像生成部
１０４      特徴量取得部
１０６      飛び出し量算出部
１０８      飛び出し量決定部
１１０      表示制御部
１２０      ディスプレイパネル
１３０      メモリ
１４０      制御部
１５０      操作部
１６０      通信制御部
【図１】
2011035827.tif 000003
【図２】
2011035827.tif 000004
【図３】
2011035827.tif 000005
【図４】
2011035827.tif 000006
【図５】
2011035827.tif 000007
【図６】
2011035827.tif 000008
【図７】
2011035827.tif 000009
【図８】
2011035827.tif 000010
【図９】
2011035827.tif 000011
【図１０】
2011035827.tif 000012
【図１１】
2011035827.tif 000013
【図１２】
2011035827.tif 000014
【図１３】
2011035827.tif 000015
【図１４】
2011035827.tif 000016
【図１５】
2011035827.tif 000017
【図１６】
2011035827.tif 000018
【図１７】
2011035827.tif 000019
【図１８】
2011035827.tif 000020
【図１９】
2011035827.tif 000021
【図２０】
2011035827.tif 000022
【図２１】
2011035827.tif 000023
【図２２】
2011035827.tif 000024
【図２３】
2011035827.tif 000025
【図２４】
2011035827.tif 000026
【図２５】
2011035827.tif 000027
【図２６】
2011035827.tif 000028
【図２７】
2011035827.tif 000029